(57)【要約】【課題】走行機体と結合する門形フレームと、機体後部の刈取部と、門形フレームと刈取部を結合し、且つ刈取部の左右へのオフセットを可能とするスイングフレームと、を備えた草刈り作業機において、経年により門形フレームに亀裂が入る可能性があることが指摘されており、定期的な点検の実施を余儀なくされている。【解決手段】門型フレームの内部に、プレートＢを挟み一定の間隔を保つように配置された２枚のプレートＡが、プレート保持ピンＡ、プレート保持ピンＢにより保持されており、プレート保持ピンＡ、プレート保持ピンＢをフレームの応力集中部の上下に位置させることで、フレームがプレート保持ピンＡ、プレート保持ピンＢの間で破断した場合でも、プレートＡ及びプレート保持ピンＡ、プレート保持ピンＢにより破断部上下のフレームの位置が保持されるため、破断したフレームの上下部が分離、回転、脱落することのない草刈り作業機を提供する。【選択図】図４
2018196366.tif 000002
【特許請求の範囲】
【請求項１】
門型フレームと、門型フレームに対して上下方向に回動可能に取り付けられたスイングフレーム支持ブラケットと、スイングフレーム支持ブラケットに左右方向に回動可能に取り付けられたスイングフレームと、スイングフレーム後端に取付けられた刈取部を有する草刈り作業機において、門型フレームのスイングフレーム支持ブラケット取り付け側の内側に上下をピンで装架されたプレートを有することを特徴とする草刈り作業機。
【請求項２】
門型フレーム内のプレートを装架するピンの外径よりも、プレートのピン穴の内径が大きく、遊びがあることを特徴とする請求項１に記載の草刈り作業機。
【発明の詳細な説明】
【技術分野】
【０００１】
本発明は、走行機体の後方に装着され作業を行う草刈作業機に関し、特に、オフセット式フレールモア作業機に関する。
【背景技術】
【０００２】
圃場又は農道の法面の除草を行うためのトラクタ用作業機として、オフセット式フレールモア作業機が知られている。
【０００３】
図１〜図３はオフセット式フレールモア作業機での実施例を示すが、従来型のオフセット式フレールモア作業機の構成、作用は、本発明の特徴とするフレーム安全機構に関する構成、作用を除いて、後で詳記する本発明のオフセット式フレールモア作業機と同じであるから、ここではその概要について説明する。
【０００４】
オフセット式フレールモア作業機は、走行機体の動力を後部の刈取部に伝達させるために長尺の動力伝達軸を有し、刈取部の横方向へのオフセットに応じて動く、動力伝達軸の可動範囲を確保するため、走行機体との装着部に門形フレームが用いられる。
【０００５】
門形フレームの左右何れかの垂直部には、機体後部の刈取部が走行機体の機体幅よりも横方向にオフセットさせるため、平行リンク構成のスイングフレームが取り付けられ、スイングフレームの後端に刈取部が取り付けられている。
【０００６】
上記の構造により、門形フレームのスイングフレーム取り付け部には、大きな荷重が加わる。また走行機体に装着した状態で、作業場所に移動する場合等には、スイングフレーム取り付け部に繰り返し荷重が加わることから、従来のオフセット式フレールモア作業機では、取り付け部の荷重集中部に補強プレートを溶接する等し、強度の向上を図っていた。
【発明の概要】
【発明が解決しようとする課題】
【０００７】
上記のとおり、従来のオフセット式フレールモア作業機は、門形フレームのスイングフレーム取り付け部に荷重が集中することから、経年により門形フレームに亀裂が入り、破断した場合に、門形フレームのスイングフレーム取り付け部から後が、脱落する可能性があることが指摘されていた。
【０００８】
この問題の対策としての強度の向上は、重量の増加や製造コストの上昇を伴うため、改善が困難とされ、定期的な点検の実施と、亀裂が認められた場合の補修で対応していた。
【０００９】
本発明は、上記従来のオフセット式フレールモア作業機における問題を解決することを目的とするものであり、点検時に門形フレームの亀裂が見落とされ、門形フレームのスイングフレーム取り付け部が破断するに至った場合でも、門形フレームのスイングフレーム取り付け部から後が、脱落、または転倒することなく、走行機体に装着し、持ち上げた状態で移動可能な草刈り作業機を実現することを課題とする。
【課題を解決するための手段】
【００１０】
本発明は、上記問題を解決するために、門形フレームのスイングフレーム前部支持ブラケットが取付られる側の内部に、プレートＢを挟み一定の間隔を保つように配置された、２枚のプレートＡにより構成される脱落防止ブラケットが、ブラケット上部保持ピン、ブラケット下部保持ピンにより保持されており、ブラケット上部保持ピン、ブラケット下部保持ピンは、プレートＡを遊貫し、使用時に脱落防止ブラケットに負荷がかからないようにすることで、脱落防止ブラケットの疲労による強度低下を防ぎ、ブラケット上部保持ピン、ブラケット下部保持ピンをフレームの応力集中部の上下に位置させることで、フレームがブラケット上部保持ピン、ブラケット下部保持ピンの間で破断した場合でも、脱落防止ブラケット及びブラケット上部保持ピン、ブラケット下部保持ピンにより破断部上下のフレームの位置が保持されるため、破断したフレームの上下部が分離、回転、脱落することのない草刈り作業機を提供する。
【発明の効果】
【００１１】
前部フレームが、突然破断した際にも、分離，転倒，落下を防止し、走行機体に装着し、持ち上げた状態で移動が可能である。
【図面の簡単な説明】
【００１２】
【図１】本発明に係るオフセット式フレールモア作業機の実施例を説明する図であり、走行機体に装着した際の左側面図である。
【図２】上記実施例のオフセット式フレールモア作業機の上面図である。
【図３】上記実施例のオフセット式フレールモア作業機の門形フレームの正面図及び側面図である。
【図４】上記実施例のオフセット式フレールモア作業機の門型フレームについて、図３に示すＡ−Ａ矢視およびＢ−Ｂ矢視での断面図である。
【発明を実施するための形態】
【００１３】
本発明に係る圃場作業機を実施するための形態を実施例に基づき図面を参照して、以下説明する。
【実施例】
【００１４】
本発明に係る圃場作業機の実施例として、オフセット式フレールモア作業機を、図１および図２において説明する。
【００１５】
本実施例のオフセット式フレールモア作業機１は、走行機体２の３点ヒッチリンクに連結され、走行機体に牽引されて圃場や畦畔等の草刈り作業等に使用される。
【００１６】
オフセット型フレールモア作業機１は、主な構成要素として、図１及び図２に示すように、角パイプより成形された、門形フレーム３と、門形フレーム３に取り付けられたスイングフレーム前部支持ブラケット１１と、スイングフレーム支持ブラケット１１に取り付けられたスイングフレーム６とスイングフレーム６後端にスイングフレーム後部支持ブラケット１２を介して取り付けられた刈取部と、を備えている。
【００１７】
門形フレーム３には、上部結合部ブラケット３１及び左右の下部結合部ブラケット３２が取り付けられている。上部結合部ブラケット３１は、門形フレーム３の中央に斜め上方に向けて伸びるように固定されており、走行機体のトップリンクに取付けられる。左右の下部結合部ブラケット３２は、門形フレーム３の左右に固定されており、走行機体のロアリンクに取付けられる。
【００１８】
スイングフレーム前部支持ブラケット１１は、枢支軸１０により門形フレーム３に対して上下方向に回動可能に取り付けられている。
【００１９】
スイングフレーム６は、２本で構成され、スイングフレーム前部支持ブラケット１１と、スイングフレーム後部支持ブラケット１２に、スイングフレーム結合ピン１３で、左右方向に回動可能に取り付けられ、スイングフレーム６とスイングフレーム前部支持ブラケット１１と、スイングフレーム後部支持ブラケット１２により、平行リンクが構成され、後部の刈取部をオフセットさせた場合でも、刈取部は常に走行機体と同じ方向を向く。
【００２０】
以上の構成は、本実施例のオフセット式フレールモア作業機と従来例のオフセット式フレールモア作業機に共通した構成であるが、以下、本発明の特徴とする門形フレーム３に内包される脱落防止機構について説明する。門形フレーム３に内包される脱落防止ブラケット４０は、図４（ａ）、（ｂ）に示すように、プレートＢ４４が前後よりプレートＡ４１のスリットに嵌合され構成される。２枚のプレートＡ４１はプレートＢ４４の中央突起４５を挟持しすることで、プレートＢ中央突起４５の幅で間隔を有する。
【００２１】
脱落防止ブラケット４０は、門形フレーム３に両端を固定された、ブラケット上部保持ピン３４及びブラケット下部保持ピン３５が、２枚のプレートＡ４１の保持ピン穴４２、４３を貫通し、保持されている。保持ピン穴４２、４３の内径は、ブラケット上部保持ピン３４及びブラケット下部保持ピン３５の外径より大きく、遊貫している。
【００２２】
この状態でプレートＢ４４の前後方向の幅は、門型フレーム３のパイプ内幅より狭く、プレートＡを貫通し突出した部分４５は、門型フレーム３のパイプ内壁に接触することがあっても、固定されることはない。
【００２３】
以上の構成から成る本実施例のオフセット式フレールモア作業機１の作用について説明する。門形フレーム３に内包される脱落防止ブラケット４０は、自然状態では、ブラケット上部保持ピン３４及びブラケット下部保持ピン３５が遊嵌した状態で保持されている。
【００２４】
ここで、ブラケット上部保持ピン３４及びブラケット下部保持ピン３５の位置は、解析や計測により予め求めた門形フレーム３の応力集中点を上下に挟む位置とする。
【００２５】
この構成において、門形フレーム３の、ブラケット上部保持ピン３４とブラケット下部保持ピン３５の間で、門形フレーム３のパイプに亀裂が入り破断した場合でも、脱落防止ブラケット４０及びブラケット上部保持ピン３４とブラケット下部保持ピン３５により、パイプの分離及び回転を防ぐことが出来る。
【００２６】
門形フレーム内部に装架される保持具は、複数のプレートを組み合わせて構成しているが、代わりに門形フレームの内径よりも小さな外径のパイプを用いても、同様の効果がある。
【００２７】
以上、本発明に係る草刈り作業機を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００２８】
本発明に係る草刈り作業機は上記のような構成であるから、門形フレームを備え、縦通材を応力集中部を跨ぐように装備することで、いろいろなタイプの作業機に適用可能である。
【符号の説明】
【００２９】
１  オフセット式フレールモア作業機 
２  走行機体
３  門型フレーム
４  刈取部
５  ギアボックス
６  スイングフレーム
７  動力伝達軸
８  上部結合ピン
９  下部結合ピン
１０  枢支軸                                    
１１  スイングフレーム前部支持ブラケット
１２  スイングフレーム後部支持ブラケット
１３  スイングフレーム結合ピン
１４  油圧シリンダＡ
１５  油圧シリンダＢ
３０  枢支軸貫通穴
３１  上部結合部ブラケット
３２  下部結合部ブラケット
３３  補強板
３４  ブラケット上部保持ピン
３５  ブラケット下部保持ピン
４０  脱落防止ブラケット
４１  プレートＡ
４２  プレートＡ上部ピン穴
４３  プレートＡ下部ピン穴
４４  プレートＢ
４５  プレートＢ中央突起
４6  プレートＢ突出部
【図１】
2018196366.tif 000003
【図２】
2018196366.tif 000004
【図３】
2018196366.tif 000005
【図４】
2018196366.tif 000006